(57)【要約】  印刷体は、印刷体として綴じられる複数の印刷媒体において、第１の印刷媒体の主面に設けられた電極であって、前記印刷体が閉じられた状態において、第１の印刷媒体の第１のページと前記第１のページに向かい合う第２の印刷媒体の第２のページの電極に対して少なくとも一部が重なり合うように配置される閲覧ページ検知用電極と、前記主面に、前記閲覧ページ検知用電極とは別の位置に設けられた選択領域検知用電極と、前記閲覧ページ検知用電極に接続され、前記閲覧ページ検知用電極に発生する静電容量に基づいて、前記複数の印刷媒体のいずれのページが開かれた開ページであるかを判定する第１の判定部と、前記選択領域検知用電極に接続され、前記印刷体が開かれた状態における当該選択領域検知用電極に発生する静電容量に基づいて、前記開ページにおける当該選択領域検知用電極がユーザーによってタッチされたか否かを判定する第２の判定部と、を備える。
2017170862.tif 000002
【特許請求の範囲】
【請求項１】
印刷体として綴じられる複数の印刷媒体において、第１の印刷媒体の主面に設けられた電極であって、前記印刷体が閉じられた状態において、前記第１の印刷媒体の第１のページと前記第１のページに向かい合う第２の印刷媒体の第２のページの電極に対して少なくとも一部が重なり合うように配置される閲覧ページ検知用電極と、
前記主面に、前記閲覧ページ検知用電極とは別の位置に設けられた選択領域検知用電極と、
前記閲覧ページ検知用電極に接続され、前記閲覧ページ検知用電極に発生する静電容量に基づいて、前記複数の印刷媒体のいずれのページが開かれた開ページであるかを判定する第１の判定部と、
前記選択領域検知用電極に接続され、前記印刷体が開かれた状態における当該選択領域検知用電極に発生する静電容量に基づいて、前記開ページにおける当該選択領域検知用電極がユーザーによってタッチされたか否かを判定する第２の判定部と、
を備える印刷体。
【請求項２】
前記閲覧ページ検知用電極と前記選択領域検知用電極は、少なくともいずれか一方は印刷によって形成される請求項１に記載の印刷体。
【請求項３】
前記閲覧ページ検知用電極は、前記印刷体が閉じられた状態において前記第１の印刷媒体の前記第１のページと前記第１のページに向かい合わない第３の印刷媒体の第３のページに設けられた各電極に対して重なり合わないように配置される請求項１または請求項２に記載の印刷体。
【請求項４】
前記第２の判定部は、前記第１の判定部によって、開かれたと判定された前記開ページ以外のページに配置される選択領域検知用電極については、ユーザーによってタッチされていないと判定する請求項１から請求項３いずれか一項に記載の印刷体。
【請求項５】
前記選択領域検知用電極の少なくとも一部に対し、印刷内容が印刷された印刷媒体が貼り付けられる請求項１から請求項４いずれか一項に記載の印刷体。
【請求項６】
前記複数の印刷媒体を含む冊子部と、前記第１の判定部と前記第２の判定部とを含む電子回路部とが分離可能である請求項１から請求項５いずれか一項に記載の印刷体。
【請求項７】
前記電子回路部は、前記冊子部に付加する外装と前記複数の印刷媒体に貼り付けるシール状の電極である、請求項６に記載の印刷体。
【請求項８】
前記第２の判定部は、前記冊子部の表紙裏面部分または前記冊子部の前記複数の印刷媒体に設けられた格子状の電極である請求項１から請求項７いずれか一項に記載の印刷体。
【請求項９】
請求項１から請求項８のいずれか一項に記載の印刷体の通信回路から電波を受信する受信部と、
前記受信した電波の受信信号に基づいて、前記印刷体の開かれたページに対応するページ識別情報を得る識別情報入力部
を有する印刷体管理装置。
【請求項１０】
前記ページ識別情報とコンテンツとを記憶するコンテンツ記憶部と、
前記得られたページ識別情報に応じたコンテンツを出力する出力部
を有する請求項９に記載の印刷体管理装置。
【請求項１１】
請求項１０に記載の印刷体管理装置と、
情報出力装置とを有する情報出力システムであり、
前記情報出力装置は、
前記印刷体管理装置から送信されるコンテンツを受信する受信部と、
前記コンテンツを出力するコンテンツ出力部
を有する情報出力システム。
【請求項１２】
印刷体として綴じられる複数の印刷媒体において、第１の印刷媒体の主面に設けられた電極であって、前記印刷体が閉じられた状態において、前記第１の印刷媒体の第１のページと前記第１のページに向かい合う第２の印刷媒体の第２のページの電極に対して少なくとも一部が重なり合うように配置される閲覧ページ検知用電極と、
前記主面に、前記閲覧ページ検知用電極とは別の位置に設けられた選択領域検知用電極と、を備える印刷体のページ識別方法であって、
第１の判定部が、前記閲覧ページ検知用電極に接続され、前記閲覧ページ検知用電極に発生する静電容量に基づいて、前記複数の印刷媒体のいずれのページが開かれた開ページであるかを判定し、
第２の判定部が、前記選択領域検知用電極に接続され、前記印刷体が開かれた状態における当該選択領域検知用電極に発生する静電容量に基づいて、前記開ページにおける当該選択領域検知用電極がユーザーによってタッチされたか否かを判定する、
印刷体のページ識別方法。
【請求項１３】
印刷体が開かれた状態における選択領域検知用電極に発生する静電容量に基づいて、開ページにおける選択領域検知用電極がユーザーによってタッチされたか否かの判定を行う、前記冊子部の表紙裏面部分または前記冊子部の前記複数の印刷媒体に設けられた格子状の電極を備える、配線構造。
【発明の詳細な説明】
【技術分野】
【０００１】
本発明は、印刷体、印刷体管理装置、情報出力システム、及び印刷体のページ識別方法に関する。
【背景技術】
【０００２】
現在、印刷媒体とコンピュータ上のソフトウェアを直接的に連携させる方法として、印刷面を画像認識し、それに対応する情報提示をソフトウェア上でリアルタイムに行うＡＲ技術を活用した方法がある。このような方法は、印刷媒体に特別な装置を取り付ける必要なくデジタルとアナログ、両者の特長を活かし効果的な情報提示方法として普及している。この技術を用いることで、例えば、印刷媒体の印刷内容に関連性のある画像や映像などの付加的情報について、ソフトウェアを用いて情報提示することで、印刷媒体の印刷内容に対して情報を補間することができる。しかし、印刷面を画像認識する操作をユーザーが行わなければならないため、ユーザーにとっては使用時の煩わしさがある。また、カメラによって印刷物を認識するため、利用時の照明環境や利用者の姿勢や位置に制約が生じる。【０００３】
例えば、特許文献１では、印刷媒体に綴じられている複数のリーフレットそれぞれにＲＦＩＤタグを付加し、ユーザーにより一つのリーフレットが開かれている状態では、タグに付属する感光装置によって他のリーフレットのＲＦＩＤタグが不活性状態となる構造で印刷媒体とＲＦセンサー装置の連携を可能としている。【０００４】
一方、印刷媒体とコンピュータとの直接的な連携を実現する方法として、印刷媒体自体にセンサーを取付ける方法が考えられる。印刷媒体の各紙面に電極を配置し、ページが開かれる、あるいは閉じられることに応じて電極が接触するか否かが変化するため、ページの開閉状態を認識することができる。
【先行技術文献】
【特許文献】
【０００５】
【特許文献１】日本国特表２００９−５０７３０１号公報
【発明の概要】
【発明が解決しようとする課題】
【０００６】
しかしながら、電極間の通電・絶縁によって検知する方法などでは開いたページの前後のページ間にわずかに隙間が生じたり、開いていないページに指を入れて操作した場合に複数の絶縁箇所を検知してしまい、ユーザーが実際に閲覧しているページを検出することが難しい。また、紙面上にタッチセンサーの電極を配置することで、ユーザーによるページ内の特定領域の選択操作を検知することも可能だが、多数のページが重なりあうため、それぞれのページに配置した電極が干渉しあい、正確な値が得られなくなる。そこで、紙面の印刷面の下に内蔵可能で、ページ開閉状態とタッチ状態を正確に検出する方法が求められる。【０００７】
本発明は、上記の事情を考慮してなされたものであり、ユーザーが閲覧している印刷媒体のページナンバーと特定領域の選択操作の検知を精度よく行うことが可能であり、既存の印刷媒体にも適用できる汎用性も兼ね備えた、製本化された印刷媒体のユーザー閲覧状況を検知し、印刷媒体を用いてコンピュータの処理を行う、印刷体、印刷体管理装置、情報出力システム、及び印刷体のページ識別方法を提供する。
【課題を解決するための手段】
【０００８】
本発明の一態様は、印刷体として綴じられる複数の印刷媒体において、第１の印刷媒体の第１の主面に設けられた電極であって、前記印刷体が閉じられた状態において、前記第１の印刷媒体の第１のページと前記第１の印刷媒体のページに向かい合う第２の印刷媒体の第２のページの電極に対して少なくとも一部が重なり合うように配置される閲覧ページ検知用電極と、前記主面に、前記閲覧ページ検知用電極とは別の位置に設けられた選択領域検知用電極と、前記閲覧ページ検知用電極に接続され、前記閲覧ページ検知用電極に発生する静電容量に基づいて、前記複数の印刷媒体のいずれのページが開かれた開ページであるかを判定する第１の判定部と、前記選択領域検知用電極に接続され、前記印刷体が開かれた状態における当該選択領域検知用電極に発生する静電容量に基づいて、前記印刷媒体の前記開ページにおける当該選択領域検知用電極がユーザーによってタッチされたか否かを判定する第２の判定部と、を備える印刷体である。【０００９】
本発明の一態様は、上記の印刷体であって、前記閲覧ページ検知用電極と前記選択領域検知用電極は、少なくともいずれか一方は印刷によって形成される。【００１０】
本発明の一態様は、上記の印刷体であって、前記閲覧ページ検知用電極は、前記印刷体が閉じられた状態において前記第１の印刷媒体の前記第１のページと前記第１のページに向かい合わない第３の印刷媒体の第３のページに設けられた各電極に対して重なり合わないように配置される。【００１１】
本発明の一態様は、上記の印刷体であって、前記第２の判定部は、前記第１の判定部によって、開かれたと判定された前記開ページ以外のページに配置される選択領域検知用電極については、ユーザーによってタッチされていないと判定する。【００１２】
本発明の一態様は、上記の印刷体であって、前記選択領域検知用電極の少なくとも一部に対し、印刷内容が印刷された印刷媒体が貼り付けられる。【００１３】
本発明の一態様は、上記の印刷体であって、前記複数の印刷媒体を含む冊子部と、前記第１の判定部と前記第２の判定部とを含む電子回路部とが分離可能である。
本発明の一態様は、上記の印刷体であって、前記電子回路部は、前記冊子部に付加する外装と前記複数の印刷媒体に貼り付けるシール状の電極である。
本発明の一態様は、上記の印刷体であって、前記第２の判定部は、前記冊子部の表紙裏面部分または前記冊子部の前記複数の印刷媒体に設けられた格子状の電極である。【００１４】
本発明の一態様は、上記に記載の印刷体の通信回路から電波を受信する受信部と、前記受信した電波の受信信号に基づいて、前記印刷体の開かれたページに対応するページ識別情報を得る識別情報入力部を有する印刷体管理装置である。【００１５】
本発明の一態様は、上記の印刷体管理装置であって、前記ページ識別情報とコンテンツとを記憶するコンテンツ記憶部と、前記得られたページ識別情報に応じたコンテンツを出力する出力部を有する。【００１６】
本発明の一態様は、上記に記載の印刷体管理装置と、情報出力装置とを有する情報出力システムであり、前記情報出力装置は、前記印刷体管理装置から送信されるコンテンツを受信する受信部と、前記コンテンツを出力するコンテンツ出力部を有する情報出力システムである。【００１７】
本発明の一態様は、印刷体として綴じられる複数の印刷媒体において、第１の印刷媒体の主面に設けられた電極であって、前記印刷体が閉じられた状態において、前記第１の印刷媒体の第１のページと前記第１のページに向かい合う第２の印刷媒体の第２のページの電極に対して少なくとも一部が重なり合うように配置される閲覧ページ検知用電極と、前記主面に、前記閲覧ページ検知用電極とは別の位置に設けられた選択領域検知用電極と、を備える印刷体のページ識別方法であって、第１の判定部が、前記閲覧ページ検知用電極に接続され、前記閲覧ページ検知用電極に発生する静電容量に基づいて、前記複数の印刷媒体のいずれのページが開かれた開ページであるかを判定し、第２の判定部が、前記選択領域検知用電極に接続され、前記印刷体が開かれた状態における当該選択領域検知用電極に発生する静電容量に基づいて、前記開ページにおける当該選択領域検知用電極がユーザーによってタッチされたか否かを判定する、印刷体のページ識別方法である。
本発明の一態様は、印刷体が開かれた状態における選択領域検知用電極に発生する静電容量に基づいて、開ページにおける選択領域検知用電極がユーザーによってタッチされたか否かの判定を行う、前記冊子部の表紙裏面部分または前記冊子部の前記複数の印刷媒体に設けられた格子状の電極を備える、配線構造である。
【発明の効果】
【００１８】
上記本発明に係る態様によれば、印刷体が、閲覧ページ検知用電極に接続され、当該閲覧ページ検知用電極に発生する静電容量に基づいて、印刷媒体のいずれのページが開かれたかを判定する第１の判定部と、選択領域検知用電極に接続され、印刷体が開かれた状態における当該選択領域検知用電極に発生する静電容量に基づいて、印刷媒体の開かれたページにおける当該選択領域検知用電極がユーザーによってタッチされたか否かを判定する第２の判定部と、を備える。これによれば、ユーザーが閲覧している印刷媒体のページナンバーと特定領域の選択操作の検知を、精度よく行うことができる。また、上記検知機能に、既存の印刷媒体にも適用できる汎用性を持たせることができる。
【図面の簡単な説明】
【００１９】
【図１】本発明の一実施形態による情報出力システム１の構成を示す概略構成図である。
【図２Ａ】入力装置１０の機能を説明する概略ブロック図である。
【図２Ｂ】入力装置１０の機能を説明する概略ブロック図である。
【図３】印刷体１２０の外観の概略を表す斜視図である。
【図４】印刷体１２０の外観の概略の他の一例を表す斜視図である。
【図５】入力装置１０の印刷媒体上に配置される電極の構成例を表す斜視図である。
【図６】入力装置１０の印刷媒体上に配置される電極の実施例を表す斜視図である。
【図７】あるページが開かれたときの当該ページとその隣のページとにおける選択領域検知用電極の関係を表す斜視図である。
【図８】入力装置１０の印刷媒体上に配置される電極の実施例を表す平面図である。
【図９】電極が印刷された印刷媒体に印刷内容が印刷された印刷媒体を貼り付ける実施例を表す斜視図である。
【図１０】図９に示す電極が印刷された印刷媒体と印刷内容が印刷された印刷媒体との断面構造を示す斜視図である。
【図１１】静電容量センサー回路８１１（第１の判定部）による閲覧ページの検知方法を説明するタイムチャートである。
【図１２】静電容量センサー回路８１１（第２の判定部）による閲覧ページにおける選択領域の検知方法を説明するタイムチャートである。
【図１３】静電容量センサー回路８１１（第２の判定部）による閲覧ページにおける選択領域の他の検知方法を説明するタイムチャートである。
【図１４】入力装置１０と受信装置２０との関係を説明する概念図である。
【図１５】受信装置２０、情報管理装置３０、情報出力装置４０の機能を説明する概略機能ブロック図である。
【図１６】コンテンツ記憶部３１４に記憶されるコンテンツの一例を示す図である。
【図１７】情報出力システム１の動作を説明するシーケンス図である。
【図１８】印刷体１２０Ａの外観の概略を表す斜視図である。
【図１９】印刷体１２０Ｂの外観の概略を表す斜視図である。
【図２０】印刷体１２０Ｃの外観の概略を表す斜視図である。
【発明を実施するための形態】
【００２０】
以下、本発明の一実施形態による情報出力システムについて図面を参照して説明する。
図１は、本発明の一実施形態による情報出力システム１の構成を示す概略構成図である。
情報出力システム１は、入力装置１０、受信装置２０、情報管理装置３０、情報出力装置４０を含んで構成される。受信装置２０と情報管理装置３０とが、印刷体管理装置を構成する。
入力装置１０は、ユーザーによって操作される。入力装置１０は、ユーザーが持つ印刷媒体に設けられた個体識別情報の送信機能と、ユーザーの閲覧情報（ページ識別情報とタッチ）を検出する検出機能とページ識別情報を含んだ信号を送信する送信機能と、を有する。以下、入力装置１０を印刷体と称する場合もある。受信装置２０は、入力装置１０へ情報送信の問い合わせをする送信を行い、問い合わせに応じて入力装置１０の通信回路から送信される電波を受信する。情報管理装置３０は、受信装置２０が受信した電波のページ識別情報に応じたコンテンツを情報出力装置４０に出力する。情報出力装置４０は、情報管理装置３０から出力されたコンテンツを画面上に表示したり、音声によって出力したりする。情報出力装置４０は、例えばディスプレイ装置や、照明装置、プロジェクタ、スピーカ、玩具などの機械装置等を用いることができる。
【００２１】
次に、情報出力システム１についてさらに説明する。
図２Ａ及び図２Ｂは、入力装置１０の機能を説明する概略ブロック図である。入力装置１０は、製本化された印刷体に取り付けられる。入力装置１０は、一冊の印刷体に少なくとも一つ設けられるものであり、例えば、１冊の印刷体に１つ設けられる。図２Ａに示すように、入力装置１０は、複数の印刷媒体を含む冊子部８０１と、静電容量センサー回路８１１（第１の判定部と第２の判定部）とを含む電子回路部８０２とを有する。また、入力装置１０は、冊子部８０１と電子回路部８０２と印刷体とを含んで構成することもできる。また、印刷体が冊子部８０１と電子回路部８０２とを有する構成とすることもできる。印刷体としては、例えば、書籍、雑誌、パンフレット、カタログ、帳票等である。
【００２２】
図２Ｂに示すように、電子回路部８０２には、静電容量センサー回路８１１、通信回路８１２、加速度センサー８１３、マイクロコンピュータ８１４、バッテリ８１５などが内蔵される。
電子回路部８０２は、印刷体のいずれかの箇所に取り付けられ、例えば、表紙や背表紙などページ以外の部位に取り付けられる。電子回路部８０２におけるマイクロコンピュータ８１４は、複数ある電子回路部８０２のそれぞれを識別する個体識別情報を記憶している。また、電子回路部８０２における静電容量センサー回路８１１は、静電容量検出技術が適用されることにより、冊子部８０１における閲覧ページ検知用電極、選択領域検知用電極に発生する静電容量に基づいてページ識別情報を検知する。また、電子回路部８０２は、通信回路８１２を有し、通信回路８１２により個体識別情報とページ識別情報と選択領域識別情報を含む信号を送信する。なお、加速度センサー８１３は、静電容量センサー回路８１１が判定を行う時の基準値を算出する。
【００２３】
閲覧ページ検知用電極、選択領域検知用電極は、印刷媒体の各ページに設けられ、電子回路部８０２における静電容量センサー回路８１１に接続される。以下、閲覧ページ検知用電極、選択領域検知用電極と、静電容量センサー回路８１１との設置について、図３〜図１０を参照して詳述する。
【００２４】
図３は、印刷体１２０の外観の概略を表す斜視図である。また、図４は、印刷体１２０の外観の概略の他の一例を表す斜視図である。
入力装置１０は、図３に示すように冊子部８０１と冊子の背表紙側に設置される電子回路部８０２から構成される。
入力装置１０は、図４に示すように冊子部８０１と電子回路部８０２とを分離可能なように実装しても良い。この場合、冊子の背表紙部分９０３をエッジコネクタなどのコネクタとして電子回路部８０２と接続できるようにする。これにより、製造コストが安い冊子部８０１をコンテンツごとに用意し、製造コストが高い電子回路部８０２を再利用できる。
【００２５】
図５は、入力装置１０の印刷媒体上に配置される電極の構成例を表す斜視図である。
印刷媒体２０１上に、閲覧ページ検知用電極２０２、２０３と特定領域へのタッチ操作を検知する選択領域検知用電極２０４が配置される。それぞれの電極は背表紙部分へと配線され、静電容量センサー回路８１１の端子に接続される。これらの電極、配線は、紙、ＰＥＴフィルムのような印刷媒体に導電インクにより印刷することで、印刷媒体２０１の第１の主面上に形成される。
また、閲覧ページ検知用電極２０２、２０３は、向かい合うページごとにページを閉じたときに少なくとも一部が重なり合うように配置される。
【００２６】
図６は、入力装置１０の印刷媒体上に配置される電極の実施例を表す斜視図である。
各印刷媒体２０１上に配置された電極３０２（閲覧ページ検知用電極２０２、２０３と選択領域検知用電極２０４）を、それぞれ静電容量センサー回路８１１を構成するタッチセンサー回路基板３０４に接続するため、ページごとに重ならないように端子を配置して、Ｚ軸方向（印刷体の厚み方向）のみ導電する両面テープ３０３を用いて接着する。接点の接着には導電性接着材や圧着を利用してもよい。タッチセンサー回路基板３０４の各端子は、各印刷媒体２０１の端子に接続するように配置されており、入力装置１０の裏面側も同様に両面テープ３０３とタッチセンサー回路基板３０４の各端子とが設けられている。
【００２７】
図７は、あるページが開かれたときの当該ページとその隣のページとにおける選択領域検知用電極の関係を表す斜視図である。一般的に静電容量センサー回路８１１は、電極への充電と放電を繰り返してその特性の変化を評価することで行われる。図７に示すように、あるページの選択領域検知用電極２０４が他のページの選択領域検知用電極２０４ａと重なるように配置されたとき、他のページの選択領域検知用電極２０４ａにも静電容量センサー回路８１１からの充放電が繰りかえされる。選択領域検知用電極２０４と選択領域検知用電極２０４ａのように、きわめて小さい距離に平行に配置された電極の間で他の選択領域検知用電極２０４ａに電荷が印加されることで、本来計測したい選択領域検知用電極２０４に大きな影響を及ぼすことになり、正確な静電容量の検出が困難となる。そこで、閲覧ページの検知結果をもとに、それ以外のページの選択領域検知用電極２０４ａを静電容量センサー回路８１１から一時的に電気的な接続を切断することで、ユーザーによってタッチされたか否かを判定する静電容量センサー回路８１１（第２の判定部）の検知精度を向上させることができる。なお、ページごとに静電容量センサー回路８１１を接続して静電容量センサー回路８１１単位で動作を切替えるか、電極ごとにアナログスイッチ、双方向マルチプレクサまたはリレーなどのスイッチを用いて静電容量センサー回路８１１を切断してもよい。また、ユーザーによるタッチは、ユーザーの指４０３が選択領域検知用電極２０４に完全に接触していなくても、近接して静電容量が変化することで、ユーザーによるタッチがあるとみなす判定を行ってもよい。
【００２８】
図８は、入力装置１０の印刷媒体上に配置される電極の実施例を表す平面図である。
あるページの印刷媒体２０１があって、閲覧ページ検知用電極２０２があるとき、他のページの閲覧ページ検知用電極は図８に示す閲覧ページ検知用電極２０２ａのように重なり合わないように配置する。また、全ての閲覧ページ検知用電極は背表紙に近い印刷媒体２０１上の領域５０１の内側（背表紙側）に配置し、領域選択用の選択領域検知用電極２０４は領域５０１の外側に配置する。これにより、静電容量センサー回路８１１により、閲覧ページ検知用電極２０２と選択領域検知用電極２０４とを評価する際の、互いの干渉を防ぐことができる。
【００２９】
図９は、電極が印刷された印刷媒体に印刷内容が印刷された印刷媒体を貼り付ける実施例を表す斜視図である。
電極パターンを持つシート状の機材６０１である印刷媒体に閲覧ページ検知用電極２０２と選択領域検知用電極２０４とが配置される。この上に、印刷内容である意匠６０４を印刷した用紙又はフィルム６０３である印刷媒体を張り合わせる。
これにより印刷体の印刷媒体の意匠性を損なわないように、印刷内容が印刷された印刷媒体を図９に示すように構成して電極を隠蔽することができる。
【００３０】
図１０は、図９に示す電極が印刷された印刷媒体と印刷内容が印刷された印刷媒体との断面構造を示す斜視図である。電極パターンを持つシート状の機材６０１である印刷媒体であって両面が第１主面となる印刷媒体は、当該印刷媒体の上面及び下面に印刷内容である意匠６０４を印刷した用紙又はフィルム６０３である印刷媒体が張り合わせられている。なお、機材６０１をインクジェット用紙として、両面を第１主面とするのではなく、導電性インクの層を上面と下面とで共有化してもよい。この場合、電極のパターンをマトリクス形状として、上面及び下面側のいずれか一方からユーザーのタッチがあったことを検出できる構成としてもよい。
【００３１】
静電容量センサー回路８１１は、閲覧ページ検知用電極２０２の静電容量の変化を評価することで閲覧ページの検知を行う。
図１１は、静電容量センサー回路８１１（第１の判定部）による閲覧ページの検知方法を説明するタイムチャートである。図１１において、縦軸は静電容量値Ｃ、横軸は時刻Ｔを表している。図１１に示すように、静電容量センサー回路８１１は、閲覧ページ検知用電極２０２の静電容量が基準値より減少し、それが基準値より閾値ｂ低い値（基準値−ｂ）より小さくなったときに、印刷媒体のいずれのページが開かれたかを判定する。
また、閲覧ページ検知用電極２０２の静電容量Ｃが、基準値より閾値ｂ低い値（基準値−ｂ）より小さくなったときの時刻を閲覧ページが開かれた時刻Ｔ０とする。
なお、基準値は、入力装置１０を使用していくにつれて、紙面の変形や電極の劣化などの要因で変化する可能性がある。また、ユーザーが入力装置１０を持っていないときは、入力装置１０は、印刷媒体のいずれのページも閉じられているというユーザーによる非操作状態にあると考えられる。このような入力装置１０が非操作状態にあるときは、入力装置１０における加速度センサー８１３が測定する加速度が０であるので、加速度が０のときの基準値の平均値に基づいて基準値を更新していくことにより、基準値を正確に算出し、閲覧ページの検知の確実性を向上させることができる。なお、基準値の算出は、マイクロコンピュータ８１４が行う。
【００３２】
静電容量センサー回路８１１は、選択領域検知用電極２０４の静電容量の変化を評価することで閲覧ページにおける選択領域の検知を行う。
図１２は、静電容量センサー回路８１１（第２の判定部）による閲覧ページにおける選択領域の検知方法を説明するタイムチャートである。図１２において、縦軸は静電容量値Ｃ、横軸は時刻Ｔを表している。図１２に示すように、時刻Ｔ０においてページを開いたときに、第１の判定部が行う閲覧ページ検知によって現在の閲覧ページが判断される。
ページを開いた直後は選択領域検知用電極２０４の静電容量の値に擾乱が生じるため、あらかじめ設定された休止時間ｔの間処理を停止する。その後、時刻（Ｔ０＋ｔ）に各選択領域検知用電極２０４の静電容量Ｃを基準値として保持する。選択領域検知用電極２０４の静電容量Ｃが、この基準値に対してあらかじめ設定された閾値ａ高い値（基準値＋ａ）より大きくなったとき（時刻Ｔ１）に、選択領域検知用電極２０４がユーザーによりタッチされたと判断する。また、選択領域検知用電極２０４の静電容量Ｃが、この基準値に対してあらかじめ設定された閾値ａ高い値（基準値＋ａ）より小さくなったとき（時刻Ｔ２）に、選択領域検知用電極２０４がユーザーによりタッチが解除されたと判断する。
図１３は、静電容量センサー回路８１１（第２の判定部）による閲覧ページにおける選択領域の他の検知方法を説明するタイムチャートである。図１３において、縦軸は静電容量値Ｃ、横軸は時刻Ｔを表している。ページを開いた直後は選択領域検知用電極２０４の静電容量の値に擾乱が生じるため、あらかじめ設定された休止時間ｔの間処理を停止する。その後、時刻（Ｔ０＋ｔ）に各選択領域検知用電極２０４の静電容量Ｃの移動平均値Ａを基準値として保持する。選択領域検知用電極２０４の静電容量Ｃが、この基準値に対してあらかじめ設定された閾値ａ高い値（基準値Ａ＋ａ）より大きくなったとき（時刻Ｔ２）に、選択領域検知用電極２０４がユーザーによりタッチされたと判断する。
このような検知方法では、図１２を用いて説明したように基準値を固定の値とせずに、静電容量値の移動平均値Ａを基準値として、閲覧ページにおける選択領域の検知を行う。
この方法によれば、温度変化などの環境変化による検知への影響を小さくすることができる。
静電容量センサー回路８１１（第２の判定部）は、このように、選択された選択領域検知用電極２０４を検出することで、ユーザーがどのページのいずれの特定領域をタッチしたかを検出し、検出結果を選択領域識別情報として通信回路８１２に出力する。
【００３３】
このように、印刷体（１２０）は、印刷体として綴じられる複数の印刷媒体（２０１）において当該印刷媒体の第１の主面に設けられた電極であって、印刷体が閉じられた状態において印刷媒体のページと当該印刷媒体のページに向かい合う他方の印刷媒体のページの電極（２０３）に対して少なくとも一部が重なり合うように配置される閲覧ページ検知用電極（２０２）と、第１の主面に、閲覧ページ検知用電極（２０２）とは別の位置に設けられた選択領域検知用電極（２０４）と、閲覧ページ検知用電極（２０２、２０３）に接続され、当該閲覧ページ検知用電極に発生する静電容量に基づいて、印刷媒体のいずれのページが開かれたかを判定する第１の判定部（静電容量センサー回路８１１）と、選択領域検知用電極（２０４）に接続され、印刷体が開かれた状態における当該選択領域検知用電極に発生する静電容量に基づいて、印刷媒体の開かれたページにおける当該選択領域検知用電極がユーザーによってタッチされたか否かを判定する第２の判定部（静電容量センサー回路８１１）と、を備える。
【００３４】
上述の実施形態によれば、ユーザーが閲覧している印刷媒体のページナンバーと特定領域の選択操作の検知を、静電容量センサーを用いて印刷媒体の本質的な意匠性を損なわずに実現することができる。受信装置２０は、入力装置１０へ情報送信の問い合わせをする送信を行い、この問い合わせに応じて入力装置１０の通信回路から送信される電波を受信する。情報管理装置３０は、受信装置２０が受信した電波のページ識別情報に応じたコンテンツを情報出力装置４０に出力する。情報出力装置４０は、情報管理装置３０から出力されたコンテンツを画面上に表示したり、音声によって出力したりする。これにより、情報出力装置４０において、印刷体１２０の開かれているページに応じた情報が出力される。
【００３５】
図１４は、入力装置１０と受信装置２０との関係を説明する概念図である。入力装置１０は、受信装置２０に対し、ユーザーによって通信可能な範囲内において操作すなわち任意のページが開かれる。入力装置１０は、受信装置２０と通信可能な範囲において、受信装置２０から問い合わせ信号を受信すると、例えば入力装置１０に設けられたマイクロコンピュータ８１４に記憶された個体識別情報が通信回路８１２から受信装置２０に対して返信（送信）される。このとき、受信装置２０は、入力装置１０から受信した個体識別情報と、個体識別情報を受信した際のページ識別情報に基づいて、どの入力装置１０のどのページが開かれているかあるいは閉じられているかを識別することができる。
【００３６】
図１５は、受信装置２０、情報管理装置３０、情報出力装置４０の機能を説明する概略機能ブロック図である。
受信装置２０は、受信部２１０を含んで構成される。受信部２１０は、印刷体１２０の通信回路８１２を介して送信される電波を受信し、受信信号として情報管理装置３０に出力する。この受信部２１０は、複数の印刷体１２０から送信される電波を受信する機能も有する。情報管理装置３０は、識別情報入力部３１１と、閲覧情報管理部３１２と、閲覧情報記憶部３１３と、コンテンツ記憶部３１４と、コンテンツ制御部３１５と、通信部３１６とを含んで構成される。
【００３７】
識別情報入力部３１１は、受信装置２０から受信した受信信号に基づいて、印刷体の開かれたページに対応するページ識別情報を得る。識別情報入力部３１１は、異なる複数の印刷体から受信信号を受信した受信装置２０から、複数の受信信号を受信した場合には、それぞれの受信信号に基づいて、それぞれのページ識別情報を得る。また、識別情報入力部３１１は、受信信号に含まれる個体識別情報を得る。閲覧情報管理部３１２は、識別情報入力部３１１によって得られた個体識別情報とページ識別情報とページ識別情報が得られた時刻（または受信装置２０から受信信号を受けた時刻）とを対応付けて閲覧情報記憶部３１３に記憶する。閲覧情報管理部３１２は、時計機能を有しており、現在時刻を把握することができるようになっている。閲覧情報記憶部３１３は、閲覧情報管理部３１２から出力される情報を記憶する。例えば、閲覧情報記憶部３１３は、個体識別情報と、ページ識別情報と、時刻とを対応付けて記憶する。コンテンツ記憶部３１４は、画像（静止画や動画）や音声等のコンテンツを記憶する。コンテンツ制御部３１５は、閲覧情報管理部３１２によって得られた個体識別情報と、ページ識別情報と、時刻とに基づいて、これらに対応するコンテンツをコンテンツ記憶部３１４から読み出し、通信部３１６を介して情報出力装置４０に送信する。通信部３１６は、受信装置２０と情報出力装置４０とに対し、通信を行うことで、各種情報の送受信を行う。
【００３８】
情報出力装置４０は、受信部４１０と、出力部４１１（コンテンツ出力部）を含んで構成される。
受信部４１０は、情報管理装置３０から出力されるコンテンツを受信する。
出力部４１１は、表示画面やスピーカ等を有しており、受信部４１０が受信したコンテンツについて、表示画面上に画像を表示したり、スピーカから音声を出力する。
【００３９】
図１６は、コンテンツ記憶部３１４に記憶されるコンテンツの一例を示す図である。
コンテンツは、閲覧情報（印刷体における開かれたページを識別する情報とタッチによって選択された選択領域）とコンテンツとが対応付けられた情報である。例えば、閲覧情報がＮ１である場合、このＮ１には閲覧されているページが１ページ目であり、ユーザーからのタッチはされていないことを表す情報が含まれており、コンテンツＡに対応付けられている。このような情報が個体識別情報毎に、コンテンツ記憶部３１４に記憶される。
【００４０】
図１７は、情報出力システム１の動作を説明するシーケンス図である。
まず、ユーザーは、入力装置１０の印刷面を閲覧する場合、受信装置２０と通信可能な範囲内に持って行き、閲覧を行う。受信装置２０は、ＩＣチップ１１０に対する問い合わせ情報を送信する（ステップＳ１０１）。問い合わせ情報の送信は、一定時間毎に行われる。入力装置１０は、受信装置２０からの問い合わせ情報を受信すると、問い合わせ情報に対応して、ＩＣチップ１１０に含まれる個体識別情報を含む回答情報を送信する（ステップＳ１０２）。受信装置２０は、回答情報を受信すると（ステップＳ１０３）、受信した回答情報を情報管理装置３０に送信する（ステップＳ１０４）。情報管理装置３０は、受信した回答情報から個体識別情報とページ識別情報とを取得し、回答情報を受信した時刻を取得する（ステップＳ１０５、Ｓ１０６）。そして、情報管理装置３０は、得られた個体識別情報とページ識別情報と時刻を閲覧情報として記憶する（ステップＳ１０７）。次に、情報管理装置３０は、個体識別情報とページ識別情報と時刻とに応じたコンテンツをコンテンツ記憶部３１４から読み出し（ステップＳ１０８）、読み出したコンテンツを情報出力装置４０に送信する（ステップＳ１０９）。情報出力装置４０は、情報管理装置３０からコンテンツを受信すると（ステップＳ１１０）、コンテンツを表示画面に表示したり、スピーカから音声として出力することで、コンテンツの出力を行う（ステップＳ１１１）。
【００４１】
上述した実施形態によれば、入力装置１０の任意のページを開くあるいは閉じることで、その開かれたページに応じたコンテンツを出力することができる。これにより、ユーザーは、印刷体に印刷された内容と、コンテンツの両方を閲覧することができる。
また、印刷体１２０をユーザーインターフェースとして用い、ユーザーが情報管理装置３０上のソフトウェアを操作することも可能である。すなわち、コンテンツを出力するだけでなく、開かれたページに応じて、情報管理装置３０上のソフトウェアを実行したり、ソフトウェア上の機能に対するコマンドを入力することもできる。例えば、ページ識別情報と実行内容とを記憶する記憶部と、得られたページ識別情報に対応する実行内容を記憶部から読み出し、読み出した実行内容に従って実行する制御部とを情報管理装置３０に設けることで実現することが可能である。
【００４２】
上述した実施形態によれば、ユーザーは、印刷媒体を認識させる特別な操作をせずに、印刷媒体を閲覧するという一般的な動作を行うことにより、直感的にコンピュータ上のソフトウェアを操作することが可能となる。
【００４３】
上述した実施形態によれば、ユーザーは、紙面の特定領域に配置された電極をタッチすることで、その項目に関係する追加情報を得るなどの操作を行うことができる。
【００４４】
上述した実施形態によれば、製本化された印刷媒体自体の意匠性を損なわずに実現できる。また、コンピュータと印刷媒体の連携が無線で、かつ複数の印刷媒体に対して同時に行われるため、本システムは幅広い用途で使うことができる。
【００４５】
上述した実施形態によれば、図３または図４に示すように電子回路部８０２は、印刷体１２０の背表紙に設置されている。図１８は、印刷体１２０Ａの外観の概略を表す斜視図である。電子回路部８０２Ａは、印刷体１２０Ａの一部に設けられていればよく、例えば図１８に示すように、ハードカバー内の表表紙側または裏表紙側に設置されてもよい。
【００４６】
また、図１９は、印刷体１２０Ｂの外観の概略を表す斜視図である。電子回路部８０２Ｂは、他の形態として、所定の領域に貼り付けることが可能な、シール状の電極であってもよい。例えば、図１９では、閲覧ページ検知用電極に接続される第１の判定部を、冊子部８０１に付加するハードカバー（外装）７０１を冊子部に付加する綴じ部近傍に設け、選択領域検知用電極に接続される第２の判定部を、複数の印刷媒体７０２に設けている。シール状の電極は、例えば、導電性インクによる印刷によって形成されていればよい。これにより、冊子部８０１と第１の判定部と前記第２の判定部とを含む電子回路部８０２Ｂとが分離可能となる。
【００４７】
図２０は、印刷体１２０Ｃの外観の概略を表す斜視図である。ここでは、電極の静電容量変化をページ越しに検知できる特性を利用して、（ａ）に示すように格子状に電極７０４が配置された配線構造７０５を、ブックカバー７０３の表紙裏面（もしくは冊子部の表紙裏面部分）に設け、各ページ上の選択領域の検知を行う。すなわち、選択領域検知用電極に接続される第２の判定部を、ブックカバー７０３の表紙裏面（もしくは冊子部の表紙裏面部分）に設ける。
格子状の電極７０４の構成パターンとしては、（ｂ）に示すように電極の各行列を密に配置することでタッチパネルのような領域選択を可能になる。例えば、各行列の番号と静電容量強度の関係から、Ｘ−Ｙ平面上の位置を検知することができる。例えば、各行の配線をセンサーの横位置判定用入力端子に接続し、各列の配線をセンサーの縦位置判定用入力端子に接続すればよい。格子状の電極７０４は、導電性インクを用いた印刷等によって、ブックカバー７０３に配線することができる。
これにより、各ページに選択領域判定用の電極をページ越しに電極が重ならないように配置する必要がないため、選択領域の場所の自由度を高めることができる。
なお、上記構成の代わりに、格子状の電極である第２の判定部を、複数の印刷媒体７０２に設けることももちろん可能である。
【００４８】
上述した実施形態における情報管理装置３０をコンピュータで実現するようにしてもよい。その場合、この機能を実現するプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４９】
以上、この発明の実施形態について図面を参照して詳述してきたが、具体的な構成はこの実施形態に限られるものではなく、この発明の要旨を逸脱しない範囲の設計等も含まれる。
【符号の説明】
【００５０】
１  情報出力システム
１０  入力装置
２０  受信装置
３０  情報管理装置
４０  情報出力装置
１２０、１２０Ａ、１２０Ｂ、１２０Ｃ  印刷体
２０１、６０１、６０３、７０２  印刷媒体
２０２、２０２ａ、２０３  閲覧ページ検知用電極
２０４、２０４ａ  選択領域検知用電極
３１１  識別情報入力部
３１２  閲覧情報管理部
３１３  閲覧情報記憶部
３１４  コンテンツ記憶部
３１５  コンテンツ制御部
３１６  通信部
８０１  冊子部
８０２、８０２Ｂ  電子回路部
８１１  静電容量センサー回路
８１２  通信回路
８１３  加速度センサー
８１４  マイクロコンピュータ
８１５  バッテリ
【図１】
2017170862.tif 000003
【図２Ａ】
2017170862.tif 000004
【図２Ｂ】
2017170862.tif 000005
【図３】
2017170862.tif 000006
【図４】
2017170862.tif 000007
【図５】
2017170862.tif 000008
【図６】
2017170862.tif 000009
【図７】
2017170862.tif 000010
【図８】
2017170862.tif 000011
【図９】
2017170862.tif 000012
【図１０】
2017170862.tif 000013
【図１１】
2017170862.tif 000014
【図１２】
2017170862.tif 000015
【図１３】
2017170862.tif 000016
【図１４】
2017170862.tif 000017
【図１５】
2017170862.tif 000018
【図１６】
2017170862.tif 000019
【図１７】
2017170862.tif 000020
【図１８】
2017170862.tif 000021
【図１９】
2017170862.tif 000022
【図２０】
2017170862.tif 000023
【国際調査報告】
2017170862.tif 000024
2017170862.tif 000025
2017170862.tif 000026
2017170862.tif 000027